(57)【要約】【課題】パイプ導体に吊り金具、接地金具、ジャンパホーンなどの付属品を取り付けるための把持金具や、パイプ導体間隔保持用のスペーサを必要としないパイプ式ジャンパ装置を提供する。【解決手段】パイプ式ジャンパ装置のパイプ導体を、断面の幅寸法が高さ寸法より大きい１本の扁平パイプ導体２９で構成する。扁平パイプ導体２９の上面に、吊り金具１７、接地金具２１、ジャンパホーン２１をボルト・ナットにより直接固定する。スペーサは使用しない。【選択図】図１
2010213394.tif 000002
【特許請求の範囲】
【請求項１】
剛性を有するパイプ導体と、このパイプ導体の両端部と鉄塔の両側の架空送電線を引き留める引留クランプとの間をつなぐジャンパ線と、前記パイプ導体の両端部付近を支持する吊り下げ部材とを備えたパイプ式ジャンパ装置において、前記パイプ導体が、断面の幅寸法が高さ寸法より大きい１本の扁平パイプ導体で構成されていることを特徴とするパイプ式ジャンパ装置。
【請求項２】
扁平パイプ導体を吊り下げ部材の下端に連結する吊り金具が、扁平パイプ導体を上下方向に貫通する締め付け部材により扁平パイプ導体の上面に直接固定されていることを特徴とする請求項１記載のパイプ式ジャンパ装置。
【請求項３】
接地金具が、扁平パイプ導体を上下方向に貫通する締め付け部材により扁平パイプ導体の上面に直接固定されていることを特徴とする請求項１記載のパイプ式ジャンパ装置。
【請求項４】
ジャンパホーンが、扁平パイプ導体を上下方向に貫通する締め付け部材により扁平パイプ導体の上面に直接固定されていることを特徴とする請求項１記載のパイプ式ジャンパ装置。
【発明の詳細な説明】
【技術分野】
【０００１】
本発明は架空送電線用のパイプ式ジャンパ装置に関するものである。
【背景技術】
【０００２】
従来のパイプ式ジャンパ装置を図６に示す。パイプ式ジャンパ装置は、鉄塔のアーム１の両側にそれぞれ耐張碍子連３、ヨーク５、引留クランプ７を介して引き留められた架空送電線９を電気的に接続するもので、剛性を有するパイプ導体１１、可撓性を有するジャンパ線１３、パイプ導体１１を吊り下げる棒状の吊り下げ部材１５等から構成されている（特許文献１、２参照）。
【０００３】
パイプ導体１１は、同一水平面内に平行に配置された２本の断面円形のアルミパイプで構成されている。ジャンパ線１３は、一般に架空送電線９の導体本数と同じ本数で（図示の例は４本）、上端が引留クランプ７に接続され、下端がパイプ導体１１の端部に接続されている。吊り下げ部材１５は、上端がヨーク５に連結され、下端がパイプ導体１１の端部付近に連結されている。
【０００４】
また、パイプ導体１１には、吊り金具１７、接地金具１９、ジャンパホーン２１、スペーサ２３が取り付けられている。吊り金具１７は、パイプ導体１１を吊り下げ部材１５の下端に連結するもので、図７（Ａ）に示すように、２本のパイプ導体１１を把持する把持金具２５に取り付けられている。接地金具１９は、停電工事などの際に送電線等に残っている電荷をアースに放電させるためのもので、これも図７（Ｂ）に示すように、２本のパイプ導体１１を把持する把持金具２５に取り付けられている。ジャンパホーン２１は、鉄塔アーム１に取り付けられたアース側ホーン２７と対峙してサージ電圧を放電させるためのもので、これも図７（Ｃ）に示すように、２本のパイプ導体１１を把持する把持金具２５に取り付けられている。スペーサ２３は、図７（Ｄ）に示すように、２本のアパイプ導体１１を所定の間隔に保持するものである。
【先行技術文献】
【特許文献】
【０００５】
【特許文献１】特開２００２−５１４４２号公報
【特許文献２】特開２００３−２３７２６号公報
【発明の概要】
【発明が解決しようとする課題】
【０００６】
従来のパイプ式ジャンパ装置は、パイプ導体として断面円形のアルミパイプを２本使用している。これは断面円形のアルミパイプが比較的安価に入手しやすいためである。しかし、パイプ導体には、前述のように吊り金具、接地金具、ジャンパホーンなどの付属品を取り付ける必要があり、パイプ導体が２本の場合、これらの付属品を２本のパイプ導体に直接取り付けることは難しい。そこで従来は、２本のパイプ導体を把持する把持金具を使用し、この把持金具に付属品を取り付けるようにしている。また、パイプ導体が２本の場合、付属品取り付け用の把持金具以外に、パイプ導体の間隔を保持するスペーサを取り付ける必要もある。
【０００７】
付属品取り付け用の把持金具や、パイプ導体間隔保持用のスペーサは、鋼又はアルミ合金の鋳造又は鍛造により製作されているが、パイプ導体の外径は送電電流容量等により異なるため、上記の把持金具やスペーサは、パイプ導体の外径が異なるたびに新規に金型から設計・製作をする必要があった。その結果、把持金具やスペーサのコストが高くなり、汎用品である断面円形のアルミパイプを使用することのコストメリットが薄くなっている。
【０００８】
本発明の目的は、パイプ導体に吊り金具、接地金具、ジャンパホーンなどの付属品を取り付けるための把持金具や、パイプ導体間隔保持用のスペーサを必要としないパイプ式ジャンパ装置を提供することにある。
【課題を解決するための手段】
【０００９】
上記の目的を達成するため本発明は、剛性を有するパイプ導体と、このパイプ導体の両端部と鉄塔の両側の架空送電線を引き留める引留クランプとの間をつなぐジャンパ線と、前記パイプ導体の両端部付近を支持する吊り下げ部材とを備えたパイプ式ジャンパ装置において、前記パイプ導体が、断面の幅寸法が高さ寸法より大きい１本の扁平パイプ導体で構成されていることを特徴とするものである。
【００１０】
本発明のパイプ式ジャンパ装置において、扁平パイプ導体を吊り下げ部材の下端に連結する吊り金具は、扁平パイプ導体を上下方向に貫通する締め付け部材により扁平パイプ導体の上面に直接固定されていることが好ましい。
【００１１】
また本発明のパイプ式ジャンパ装置においては、接地金具も、扁平パイプ導体を上下方向に貫通する締め付け部材により扁平パイプ導体の上面に直接固定されていることが好ましい。
【００１２】
また本発明のパイプ式ジャンパ装置においては、ジャンパホーンも、扁平パイプ導体を上下方向に貫通する締め付け部材により扁平パイプ導体の上面に直接固定されていることが好ましい。
【発明の効果】
【００１３】
本発明によれば、パイプ式ジャンパ装置のパイプ導体が、断面の幅寸法が高さ寸法より大きい１本の扁平パイプ導体で構成されているため、パイプ導体の扁平面に吊り金具、接地金具、ジャンパホーンなどの付属品を直接取り付けることができ、従来使用してきた把持金具が不要になると共に、パイプ導体が１本であるためスペーサも不要になる。したがって２本の断面円形のパイプ導体より１本の扁平パイプ導体の方がコストが若干高くなるものの、付属品のコストが大幅に安くなり、スペーサのコストはかからなくなるため、パイプ式ジャンパ装置全体としてはコストダウンを図ることができる。
【図面の簡単な説明】
【００１４】
【図１】本発明に係るパイプ式ジャンパ装置の一実施例を示す、一部平面図を含む側面図。
【図２】図１のパイプ式ジャンパ装置に使用した扁平パイプ導体の断面図。
【図３】図２の扁平パイプ導体に、（Ａ）は吊り金具を、（Ｂ）は接地金具を、（Ｃ）はジャンパホーンを取り付けた状態を示す正面図。
【図４】（Ａ）は従来使用されていた２本のパイプ導体、（Ｂ）は本発明で使用する扁平パイプ導体、の概略の寸法を示す断面図。
【図５】本発明で使用する扁平パイプ導体の端部の一例を示す、（Ａ）は平面図、（Ｂ）は側面図。
【図６】従来のパイプ式ジャンパ装置の一例を示す、一部平面図を含む側面図。
【図７】従来のパイプ式ジャンパ装置における２本のパイプ導体に、（Ａ）は吊り金具を、（Ｂ）は接地金具を、（Ｃ）はジャンパホーンを、（Ｄ）はスペーサを取り付けた状態を示す正面図。
【発明を実施するための形態】
【００１５】
図１は本発明に係るパイプ式ジャンパ装置の一実施例を示す。図において、先に説明した図６と同一部分には同一符号を付してある。すなわち、１は鉄塔アーム、３は耐張碍子連、５はヨーク、７は引留クランプ、９は架空送電線、１３はジャンパ線、１５は吊り下げ部材、１７は吊り金具、１９は接地金具、２１はジャンパホーン、２７はアース側ホーンである。
【００１６】
このパイプ式ジャンパ装置は、パイプ導体として、図２に示すような断面の幅寸法ｗが高さ寸法ｈより大きい１本の扁平パイプ導体２９を使用した点に特徴がある。この扁平パイプ導体２９は上下面が平らで、両側面が外側に膨らむ半円状曲面である。材質は従来同様アルミ又はアルミ合金である。
【００１７】
パイプ導体として扁平パイプ導体２９を使用すると、吊り金具１７、接地金具１９、ジャンパホーン２１などの付属品を図３（Ａ）〜（Ｃ）のように取り付けることができる。すなわち、扁平パイプ導体２９の上面に付属品１７、１９、２１を載置し、それぞれ扁平パイプ導体２９に上下方向に形成した複数のボルト孔に複数本のボルト３１を通し、ナット３３で締め付けることで、直接取り付けることができる。なお、いずれの場合も、扁平パイプ導体２９の下面とボルト３１の頭部（ナットが下にくる場合はナット）との間には、複数のボルト３１の頭部を一括して受け止める平板状座金３５を介在させてある。これはボルト・ナット３１、３３の締め付け力を分散させて扁平パイプ導体２９を保護するためである。
【００１８】
扁平パイプ導体２９を使用すると、上記のように吊り金具１７、接地金具１９、ジャンパホーン２１を直接取り付けることができ、従来使用されてきた把持金具やスペーサが不要になることから、パイプ式ジャンパ装置のコストダウンを図ることができる。
【００１９】
図４（Ａ）、（Ｂ）は従来の２本の断面円形のパイプ導体１１の断面寸法と、これにほぼ対応する１本の扁平パイプ導体２９の断面寸法を対比して示す。１本の扁平パイプ導体２９の方が、パイプ導体としての幅寸法を小さくできる。
【００２０】
図５（Ａ）、（Ｂ）は、扁平パイプ導体２９の端部を平板状に潰してボルト孔３７をあけることにより、端子部３９を形成した状態を示している。端子部３９には、ジャンパ線１３（図１参照）の下端に取り付けられた接続端子が締め付け接続される。このように、扁平パイプ導体２９を使用すると、両端に端子部３９を簡単に形成することができる。
【符号の説明】
【００２１】
１：鉄塔アーム
３：耐張碍子連
５：ヨーク
７：引留クランプ
９：架空送電線
１３：ジャンパ線
１５：吊り下げ部材
１７：吊り金具
１９：接地金具
２１：ジャンパホーン
２７：アース側ホーン
２９：扁平パイプ導体
３１、３３：ボルト・ナット（締め付け部材）
３５：平板状座金
３９：端子部
【図１】
2010213394.tif 000003
【図２】
2010213394.tif 000004
【図３】
2010213394.tif 000005
【図４】
2010213394.tif 000006
【図５】
2010213394.tif 000007
【図６】
2010213394.tif 000008
【図７】
2010213394.tif 000009